(57)【要約】      （修正有）【課題】窓とレールの間、窓とローラーの間、及び一対のレールとレールの間につながる窓の内外部間の空気の移動通路を根本的に遮蔽することができる防風部材、及びこの防風部材を有する窓扉を提供する。【解決手段】窓に設けられ、窓と窓枠との間の空気移動通路を閉鎖する窓扉用防風部材１００であって、内部に空間を有するケース１１０と、ケース内で垂直方向に直線運動を行うことで窓と窓枠のレールとの間の空気移動通路を閉鎖する垂直移動部１２０と、垂直移動手段内から水平方向に直線運動を行うことでレールと窓枠の底面及びレールと隣接した他のレールとの間の空気移動通路を遮蔽する水平移動部１３０、及び垂直移動手段と水平移動手段とをそれぞれ選択的に垂直方向と水平方向に移動させる操作部１４０と、を含む。【選択図】図４
2015031150.tif 000002
【特許請求の範囲】
【請求項１】
窓に設けられ、窓と窓枠との間の空気移動通路を閉鎖する窓扉用防風部材あって、
内部に空間を有するケースと、
前記ケース内に収容され、前記ケース内で垂直方向に直線運動を行うことで前記窓と前記窓枠のレールとの間の空気移動通路を閉鎖する垂直移動手段と、
前記垂直移動手段内に収容され、水平方向に直線運動を行うことで前記レールと前記窓枠の底面及び前記レールと隣接した他のレールとの間の空気移動通路を遮蔽する水平移動手段と、
前記垂直移動手段と前記水平移動手段とをそれぞれ選択的に垂直方向と水平方向に移動させる操作手段と、を含む窓扉用防風部材。
【請求項２】
前記操作手段は、操作用取手の回転に連動して回転するギヤを有し、
前記垂直移動手段は、前記ギヤと結合する垂直移動用ギヤを有し、
前記水平移動手段は、前記ギヤと結合する水平移動用ギヤを有し、
前記垂直移動用ギヤが前記ギヤと結合した状態で、前記操作用取手を回転させることで前記垂直移動手段が垂直方向に直線運動を行い、
前記水平移動用ギヤが前記ギヤと結合した状態で、前記操作用取手を回転させることで前記水平移動手段が水平方向に直線運動を行う、請求項１に記載の窓扉用防風部材。
【請求項３】
前記垂直移動手段は、下端部の前記レールと接する部分に形成され、モヘアからなる第１の垂直遮蔽部を有する、請求項１に記載の窓扉用防風部材。
【請求項４】
前記水平移動手段は、第１の水平部と、前記水平部の一端から垂直方向に延長する垂直部と、前記垂直部の前記第１の水平部の一端と連結される部分の反対側の端部から前記水平部の延長方向とは反対の方向に水平に延長する第２の水平部と、を有し、
前記第２の水平部は、直方体の形状からなり、
前記第２の水平部の前記窓枠の前記底面と接する面及び前記他のレールと接する面はモヘアにより形成される、請求項１に記載の窓扉用防風部材。
【請求項５】
請求項１〜４の中の何れか一項に記載の窓扉用防風部材を有する窓。
【発明の詳細な説明】
【技術分野】
【０００１】
本発明は、窓扉用防風部材及びこれを備える窓扉に関し、特に、防風部材を窓扉に脱着可能な構造にすることで、新設された窓扉にはもちろん、既に設けられた窓扉にも追加に設置可能な窓扉用防風部材及びこれを備える窓扉に関する。
【背景技術】
【０００２】
窓扉は、採光や通風及び外部眺望の目的で、建物などの壁や屋根に設けられる扉であって、引き戸方式の単窓、または二重窓が広く実用化されている。
【０００３】
以下、一般的な構造を有する窓について、図面を参照しながら簡単に説明する。図１は、一般的な引き戸方式の窓扉の構造を簡単に示す図である。
【０００４】
図１に示すように、引き戸方式の窓扉は、通常、正四角形や直四角形などの四角形状のフレーム内にガラスが配置された一対の窓２０、４０が、窓を閉めた際に長さの方向の一部が互いに重畳されるようにスライド可能に窓枠３０に配置される。
【０００５】
窓枠３０は、一対の窓２０、４０を内部に収容し、一対の窓２０、４０の形状に対応する形状である正四角形または直四角形などの四角形状を有する。また、一対の窓２０、４０が窓枠３０内でスライド移動する一対のレール３３、３４が窓枠３０の上端及び下端の内側の両面に設けられ、一対の窓２０、４０のレール３３、３４に対応する位置には、２つ以上のローラー２７、２７が設けられ、ローラー２７、２７がレール３３、３４上をスライドすることによって窓２０の開閉が行われる。
【０００６】
一対の窓２０、４０が窓枠３０内で円滑にスライド移動するためには、一対の窓２０と窓２０の間、窓２０とレール３３の間、窓２０とローラー２７の間、一対のレール３３とレール３３の間には最小限の間隔があるはずであり、図１の矢印で示すように、これらの間隔を通じて室内及び室外の間で空気の移動が行われる空気移動通路が形成され、よって、室内の熱が外部に流出されたり、または室外の熱や冷気が室内に流入されるという問題がある。
【０００７】
一対の窓２０と窓２０の間の間隔については、例えば、一対の窓２０と窓２０が重畳される部分に、気密用毛を設け、窓が閉鎖された状態で掛け金などによって一対の窓２０と窓２０を互いに密着させることで、室内外での空気の移動を遮断するのが最も一般的な遮蔽方式である。
【０００８】
また、窓とローラーとの間の空気の移動を遮断する方法として、特許文献１に記載されている技術がある。図２は、特許文献１に記載されている従来の防風窓扉の構造を示す図である。
【０００９】
図２に示すように、特許文献１の窓扉は、窓とローラー３２０の間の間隔を補うように、多数の毛からなる気密用毛２１４を設けている。
【００１０】
しかし、特許文献１の方法は、比較的に長さの長い多数の毛によって、窓とローラーの間の間隔を一部補うだけであり、窓とレールの間、窓とローラーの間、及び一対のレールとレールの間につながる窓の内外部間の空気の移動通路を根本的に遮蔽することができないという問題がある。
【００１１】
また、特許文献１の気密用毛は、窓扉と一体に形成されるものであって、既に設けられた窓扉に、この機能を追加して設けることができないという問題もある。
【００１２】
図１で説明した問題を解決するための他の従来技術として、特許文献２に記載されている技術がある。図３は、特許文献２の防風窓枠部材の概路図である。
【００１３】
図３に示すように、特許文献２の防風部材は、窓枠の一対のレール３３０ａ、３３０ｂの間の間隔部分で、窓枠の長さの方向に沿って脱着可能に安着されるベースプレート４１０と、ベースプレートの長さの方向の上面に延長して形成される支持部４２０、及び支持部に固定され、窓の両側と接触する一対のモヘア４２４、４２８からなる。
【００１４】
しかし、特許文献２の防風部材は、一対の窓と窓の間の間隔を閉鎖するものであり、窓とレールの間、窓とローラーの間、及び一対のレールとレールの間につながる窓の内外部間の空気の移動通路を根本的に遮蔽することができないという問題がある。
【００１５】
また、特許文献２の防風部材は、引き戸方式の窓扉の窓と窓の間に配置されるので、窓の開閉を妨害する可能性があり、一定の幅を有するしかないので、むしろ一対の窓と窓の間の間隔を増大させるという問題もある。
【先行技術文献】
【特許文献】
【００１６】
【特許文献１】大韓民国公開特許公報第２０１２−２７７４５号（２０１２年３月２２日公開）
【特許文献２】大韓民国公開特許公報第２０１２−９７６２７号（２０１２年９月５日公開）
【発明の概要】
【発明が解決しようとする課題】
【００１７】
本発明は、上記の従来技術の問題点を解決するためのものであり、窓とレールの間、窓とローラーの間、及び一対のレールとレールの間につながる窓の内外部間の空気の移動通路を根本的に遮蔽することができる防風部材、及びこの防風部材を有する窓扉を提供することを目的とする。
【００１８】
また、本発明は、既に設けられた窓扉に本発明の防風部材を追加に設けることができる防風部材を提供することを目的とする。
【課題を解決するための手段】
【００１９】
上記の課題を解決するための本発明の窓扉用防風部材は、窓に設けられ、窓と窓枠との間の空気移動通路を閉鎖する窓扉用防風部材あって、内部に空間を有するケースと、前記ケース内に収容され、前記ケース内で垂直方向に直線運動を行うことで前記窓と前記窓枠のレールとの間の空気移動通路を閉鎖する垂直移動手段と、前記垂直移動手段内に収容され、水平方向に直線運動を行うことで前記レールと前記窓枠の底面及び前記レールと隣接した他のレールとの間の空気移動通路を遮蔽する水平移動手段と、前記垂直移動手段と前記水平移動手段とをそれぞれ選択的に垂直方向と水平方向に移動させる操作手段と、を含む。
【００２０】
好ましくは、前記操作手段は、操作用取手の回転に連動して回転するギヤを有し、前記垂直移動手段は、前記ギヤと結合する垂直移動用ギヤを有し、前記水平移動手段は、前記ギヤと結合する水平移動用ギヤを有し、前記垂直移動用ギヤが前記ギヤと結合した状態で、前記操作用取手を回転させることで前記垂直移動手段が垂直方向に直線運動を行い、前記水平移動用ギヤが前記ギヤと結合した状態で、前記操作用取手を回転させることで前記水平移動手段が水平方向に直線運動を行う。
【００２１】
好ましくは、前記垂直移動手段は、下端部の前記レールと接する部分に形成され、モヘアからなる第１の垂直遮蔽部を有する。
【００２２】
好ましくは、前記水平移動手段は、第１の水平部と、前記水平部の一端から垂直方向に延長する垂直部と、前記垂直部の前記第１の水平部の一端と連結される部分の反対側の端部から前記水平部の延長方向とは反対の方向に水平に延長する第２の水平部と、を有し、前記第２の水平部は、直方体の形状からなり、前記第２の水平部の前記窓枠の前記底面と接する面及び前記他のレールと接する面はモヘアにより形成される。
【００２３】
本発明の窓は、前記窓扉用防風部材の中の何れか一つを備える窓扉である。
【発明の効果】
【００２４】
上記の構成によって、窓扉の窓とレールの間、窓とローラーの間、及び一対のレールとレールの間につながる窓の内外部間の空気の移動通路を根本的に遮蔽することができるという効果がある。
【００２５】
また、本発明の防風部材は、新設された窓にはもちろん、既に設けられた窓扉に追加に設けることができるという効果もある。
【図面の簡単な説明】
【００２６】
【図１】一般的な引き戸方式の窓扉の構造を簡単に示す図である。
【図２】従来の防風窓扉の構造を示す概路図である。
【図３】従来の防風窓枠部材の概路図である。
【図４】本発明の好ましい実施の形態の防風部材の分解斜視図である。
【図５】図４のＡ−Ａ線を切断した切断面図である。
【図６Ａ】操作部の構成を概略的に示す図である。
【図６Ｂ】操作部の構成を概略的に示す図である。
【図７】本発明の防風部材を窓扉に設けた状態を示す図である。
【図８Ａ】本発明の好ましい実施の形態の防風部材の動作を示す図である。
【図８Ｂ】本発明の好ましい実施の形態の防風部材の動作を示す図である。
【図８Ｃ】本発明の好ましい実施の形態の防風部材の動作を示す図である。
【発明を実施するための形態】
【００２７】
以下、本発明の好ましい実施の形態について、図面を参照しながら詳細に説明する。
【００２８】
図４は、本発明の好ましい実施の形態の防風部材の分解斜視図であり、図５は、図４のＡ−Ａ線を切断した切断面図であり、図６Ａ及び図６Ｂは、操作部の構成を概略的に示す図であり、図７は、本発明の防風部材を窓扉に設けた状態を示す図であり、図８Ａ〜図８Ｃは、本発明の好ましい実施の形態の防風部材の動作を示す図である。
【００２９】
先ず、本発明の防風部材の構成について説明する。
【００３０】
図４及び図５に示すように、本発明の実施の形態の防風部材１００は、ケース１１０、垂直移動部１２０、水平移動部１３０、及び操作部１４０からなる。
【００３１】
本発明の明細書において、方向を示す表現として「垂直」または「垂直方向」という用語は、通常の引き戸方式の窓扉における縦方向を意味し、また、「水平」または「水平方向」という用語は、通常の引き戸方式の窓扉における横方向を意味する。
【００３２】
ケース１１０は、金属や合成樹脂などの材料からなり、内部空間を有する直方体または正六面体などの形状を有し、前記内部空間に垂直移動部１２０と水平移動部１３０及び操作部１４０がそれぞれ収容される。
【００３３】
六面体からなるケース１１０は、６面の中、後述する窓枠３０の底面と隣接する面が開放され、残りの５面は、基本的には閉鎖された構造であり、底面側の窓枠３０のレール３３と対応する部分には、レール３３の形状に対応する形状のレール溝１１２を有する。
【００３４】
垂直移動部１２０は、前記ケース１１０内に収容され、後述する操作部１４０の操作によってケース１１０内を垂直方向に移動し、その形状は、基本的にはケース１１０の形状と同様に、直方体または正六面体など六面体の形状からなる。
【００３５】
垂直移動部１２０の垂直方向の一方の面は、前記ケース１１０の一方の内面と接し、反対側の面の垂直移動部１２０が下降した際に、下端部の一部が窓枠３０のレール３３の一方の面と接する部分には第１の垂直遮蔽部１２３が形成されており、下降する際に、窓枠３０の底面と接する側の面には、第１の水平遮蔽部１２８が形成されている。第１の垂直遮蔽部１２３と第１の水平遮蔽部１２８は、モヘアなど、窓枠３０の底面及びレール３３と、柔らかいながらも気密が最大限に維持される状態で接触することができる材料からなるので、レールと窓の間の空気の移動通路を遮蔽することができる。
【００３６】
本発明の明細書において、「モヘア」という用語は、例えば、特許文献１、２のようなモヘアを含み、窓枠３０の底面及びレール３３と、柔らかいながらも気密が最大限に維持される状態で接触することができる材料を何れも含む意味である。
【００３７】
また、垂直移動部１２０の前記レール３３の一方の面と接する方向の面の垂直方向の所定の位置には、後述する操作部１４０のギヤ１４２ｂと結合する垂直移動用ギヤ１２２が配置され、上部面は突起１２４に一端が挿入され、他端がケース１１０の上部側の内面の未図示の突起に挿入されたもの１２５によって弾性支持される。
【００３８】
ケース１１０の少なくとも互いに対向する２つの垂直面の内側には、少なくとも一つ以上の垂直移動用レールが形成され（未図示）、このレールに沿って垂直移動部１２０の垂直移動がガイドされる。
【００３９】
また、垂直移動部１２０の下端面の全体及び下端部側が前記レール３３と接する面の反対側面であって、後述する水平移動部１３０の第２の垂直遮蔽部１３７が水平方向に移動する部位は開放されており、この部分が下端開放部１２６となる。また、後述する水平移動部１３０の第１の水平部１３１に対応する部分の一部も開放されており、この部分が上端開放部１２７となり、下端開放部１２６及び上端開放部１２７によって、後述する水平移動部１３０の垂直移動がガイドされる。
【００４０】
水平移動部１３０は、基本的には垂直移動部１２０の内部に収容され、水平移動部１３０は、上端部の前記垂直移動部１２０の上端開放部１２７に対応する位置から水平方向に延長される第１の水平部１３１と、第１の水平部１３１の一方の端部から前記第１の水平部１３１と垂直の方向に延長する垂直部１３２、及び垂直部１３２の前記第１の水平部１３１の反対側で垂直部１３２と直交する方向で、前記第１の水平部１３１の延長方向と反対の方向に延長する第２の水平部１３３と、を有する。
【００４１】
図５等に示すように、第２の水平部１３３は、直方体などの六面体の形状を有し、窓枠３０の底面側の面であって、バネ１３８によって下側方向に弾性支持される第２の水平遮蔽部１３５と、垂直移動部１２０が垂直方向に下降した状態で、水平移動部１３０が図面上の右側に移動した際に隣接する他のレール３３と接する面である第２の垂直遮蔽部１３７と、窓枠３０の底面と反対側面である上部遮蔽部１３６によって第２の水平部１３３の３つの面は、その表面がモヘア等からなっている。
【００４２】
このように、水平移動部１３０の第２の水平部１３３の第２の水平遮蔽部１３５と上部遮蔽部１３６及び第２の垂直遮蔽部１３７の表面が、それぞれモヘア等、窓枠３０の底面及びレール３３などと、柔らかいながらも気密が最大限に維持される状態で接触することができる材料からなる面からなっており、第２の水平遮蔽部１３５及び第２の垂直遮蔽部１３７によって、窓枠３０の互いに隣接する一対のレール３３、３４間の空気の移動通路が閉鎖され、また、上部遮蔽部１３６によって一対の窓２０と窓４０の間の空気移動通路も閉鎖され、詳細については後述する。
【００４３】
また、水平移動部１３０の前記第１の水平部１３１の下面には、後述する操作部１４０と結合する水平移動用ギヤ１３４が形成されている。
【００４４】
操作部１４０は、垂直移動部１２０の垂直移動用ギヤ１２２及び水平移動部１３０の水平移動用ギヤ１３４と選択的に結合し、垂直移動部１２０及び水平移動部１３０をそれぞれ垂直方向及び水平方向に移動させる。
【００４５】
操作部１４０は、図６Ａ及び図６Ｂに示すように、その一端がケース１１０の内側面に固定され、他端がケース１１０内に延長し、内部が中空筒の形状のガイド１４５と、一端が前記ガイド１４５に挿入され、図６Ａの矢印Ａに示す方向に直線運動を行う移動体１４２、及び移動体１４２の他端に結合される操作取手１４１を有する。
【００４６】
移動体１４２の大略中央部には、垂直移動部１２０の垂直移動用ギヤ１２２及び水平移動部１３０の水平移動用ギヤ１３４と選択的に結合するギヤ１４２ｂが配置され、移動体１４４の他端は、雄ネジ１４２ａからなっており、この雄ネジ１４２ａが操作取手１４１内に形成された雌ネジ１４１ａと結合する。
【００４７】
ここで、第２の水平遮蔽部１３５のモヘアの毛の長さは、第１の水平遮蔽部１２８の全体の高さより長い方が好ましく、その理由は後述する。
【００４８】
操作取手１４１は、時計方向または反時計方向に回動可能に、例えば、図６Ａ及び図６Ｂに示すように、周りの部分に凹溝が形成され、この凹溝がケース１１０に回動可能に挿入された形状で結合し、操作取手１４１の雌ネジ１４１ａは、移動体１４２の雄ネジ１４２ａとネジ結合をしており、雌ネジ１４１ａと雄ネジ１４２ａがネジ結合した状態で、操作取手１４１を時計方向または反時計方向に回転させると、移動体１４２が矢印Ａの方向に両方向に直線運動を行い、これによってギヤ１４２ｂも矢印Ａの方向に両方向に直線運動を行う。
【００４９】
また、操作取手１４１の雌ネジ１４１ａと、移動体１４２の雄ネジ１４２ａとのネジ結合は、図６Ａ及び図６Ｂに示すように、間隔ａを有し、この間隔ａだけ、ギヤ１４２ｂは矢印Ａの方向に両方向に直線運動が可能である。
【００５０】
詳細には、図６Ａに示すように、操作取手１４１の雌ネジ１４１ａと移動体１４２の雄ネジ１４２ａが間隔ａを有する状態では、ギヤ１４２ｂは垂直移動部１２０の垂直移動用ギヤ１２２とは互いに結合し、水平移動部１３０の水平移動用ギヤ１３４とは結合しない配置関係を有し、ギヤ１４２ｂと垂直移動用ギヤ１２２が結合した状態で、操作取手１４１を時計方向にずっと回転すれば、雄ネジ１４２ａと結合している垂直移動用ギヤ１２２は矢印Ｂの方向に垂直に移動し、これによって、垂直移動用ギヤ１２２と結合している垂直移動部１２０も矢印Ｂの方向に垂直に移動する。
【００５１】
また、操作部１４０の操作取手１４１をずっと回転させ、移動体１４２が矢印Ａの方向に操作取手１４１側に間隔（ａ−ｂ）だけ移動すれば、図６Ｂに示すように、ギヤ１４２ｂと垂直移動用ギヤ１２２との結合が解除され、その代わりに、水平移動部１３０の水平移動用ギヤ１３４と結合し、操作取手１４１をさらに回転させれば、水平移動用ギヤ１３４及び水平移動用ギヤ１３４と結合された水平移動部１３０が水平移動を行う。
【００５２】
これと反対に、操作部１４０の操作取手１４１を、前述した方向と反対の方向に回転させれば、前記動作とは逆順に、すなわち、先ず、水平移動用ギヤ１３４及びこれと結合された水平移動部１３０が上記とは反対の方向に水平移動を行い、続いて、水平移動用ギヤ１３４とギヤ１４２ｂ間の結合が解除され、垂直移動用ギヤ１２２とギヤ１４２ｂが結合し、垂直移動用ギヤ１２２及びこれと結合している垂直移動部１２０が前記方向とは反対の方向に垂直移動を行う。
【００５３】
次に、図７を参照しながら、本発明の好ましい実施の形態の防風部材１００が窓２０に設けられる構成について説明する。
【００５４】
図７に示すように、防風部材１００は、引き戸方式の窓扉が閉鎖された位置で一対の窓２０、４０のフレーム部分が互いに重畳する部分の何れか一つの窓２０の下端部の何れか一方に設けられる。
【００５５】
図７は、防風部材１００の垂直移動部１２０が完全に垂直方向の下端に移動し、水平移動部１３０が水平方向の右側端に完全に移動して、窓２０とレール３３の間、窓２０と窓枠３０の底面の間、及び一対のレール３３とレール３４の間の空気移動通路が閉鎖された状態を示し、第１の垂直遮蔽部１２３、第１の水平遮蔽部１２８、第２の水平遮蔽部１３５、第２の垂直遮蔽部１３７、及び上部遮蔽部１３６によって窓とレールの間、窓とローラーの間、一対のレールとレールの間、及び一対の窓２０と窓４０の間につながる窓の内外部間の空気の移動通路が完全に遮蔽された状態を示す。
【００５６】
次に、本発明の好ましい実施の形態の防風部材１００の動作について、図６Ａ、図６Ｂ、及び図８Ａ〜図８Ｃを主に参照しながら説明する。
【００５７】
図８Ａ〜図８Ｃは、本発明の好ましい実施の形態の防風部材の動作を示す図面であり、 図８Ａは、垂直移動部１２０と水平移動部１３０が何れも移動する前の状態を示し、図８Ｂは、垂直移動部１２０が垂直方向に移動した状態を示し、図ＢＣは、垂直移動部１２０が垂直方向に移動した状態で水平移動部１３０が水平方向に移動された状態を示す。
【００５８】
先ず、動作前の初期状態では、図８Ａに示すように、垂直移動部１２０はケース１１０内の最上端側に移動しており、水平移動部１３０はケース１１０内の最左側端に移動している。
【００５９】
この状態で、操作部１４０の操作取手１４１を時計方向に回転すれば、操作部１４０のギヤ１４２ｂと結合している垂直移動用ギヤ１２２が矢印Ｂの方向に下降し、これによって、垂直移動用ギヤ１２２と結合している垂直移動部１２０の全体が矢印Ｂの方向に移動し、第１の水平遮蔽部１２８が窓枠３０の底面と接し、この状態で移動を止める。
【００６０】
これによって、モヘアなどで構成された第１の水平遮蔽部１２８は、窓枠３０の底面と接し、第１の垂直遮蔽部１２３は一対のレール３３、３４の一方のレール３３と接するようになる（図８Ｂを参照）。
【００６１】
続いて、操作部１４０の操作取手１４１を時計方向に回転させれば、ギヤ１４２ｂと垂直移動用ギヤ１２２との結合が解除され、次に、ギヤ１４２ｂが水平移動用ギヤ１３４と結合され（図６Ａ及び図６Ｂを参照）、操作取手１４１の回転によって水平移動用ギヤ１３４と結合している水平移動部１３０が、水平方向である図８Ｃの矢印Ｃの方向に移動し、水平移動部１３０の第２の垂直遮蔽部１３７がレール３４の側面と接すれば移動を止める（図８Ｃを参照）。
【００６２】
ここで、第２の水平遮蔽部１３５は、バネ１３８によって窓枠３０の底面側に弾性支持されており、また、前述したように、第２の水平遮蔽部１３５は第１の水平遮蔽部１２８に比べて高さが高いので、水平移動部１３０が矢印Ｃの方向に水平移動をすれば、第２の水平遮蔽部１３５は窓枠３０の底面と接触するようになる。
【００６３】
これによって、窓とレールの間、及び窓とローラーの間の空気移動通路が閉鎖されると同時に、一対のレール３３、３４間の空気移動通路が閉鎖される。また、上部遮蔽部１３６によって一対の窓２０と窓４０の間も閉鎖されるようになる。
【００６４】
以上の説明では、防風部材１００を窓２０の下端部のみに設けることと説明したが、窓２０の上端部と下端部との両方に設置すれば、窓扉の内外部間の空気の移動をさらに完全に遮断することができることは当然である。防風部材１００を窓２０の上端部にも設ける場合は、前述の実施の形態で説明した防風部材１００の設置方向と反対の方向に設置すればよい。
【００６５】
上記の実施の形態では、先ず、垂直移動部１２０が垂直方向に移動した後、水平移動部１３０が水平方向に移動すると説明したが、これに限定されず、その順序は反対になっても良い。この場合には、図６Ａ及び図６Ｂで説明したギヤ１４２ｂと垂直移動用ギヤ１２２、及び水平移動用ギヤ１３４の位置関係を変更することで可能である。
【００６６】
また、上記の実施の形態では、窓２０の開閉の際には、垂直移動部１２０及び水平移動部１３０は、初期位置（図８Ａの位置）にあると説明したが、これに限定されず、垂直移動部１２０のレール３３と接する面及び水平移動部１３０の窓枠３０の底面、及び隣接する他のレール３３と接する面がモヘアにより形成されているので、図８Ｂの位置にある状態、または図８Ｃの位置にある状態でも窓２０の開閉が可能である。
【符号の説明】
【００６７】
１００  防風部材  
１１０  ケース  
１２０  垂直移動部  
１２１  垂直移動体  
１２２  垂直移動用ギヤ  
１２３  第１の垂直遮蔽部
１２８  第１の水平遮蔽部  
１３０  水平移動部  
１３１  第１の水平部  
１３２  垂直部
１３３  第２の水平部  
１３４  水平移動用ギヤ  
１３５  第２の水平遮蔽部
１３６  上部遮蔽部  
１３７  第２の垂直遮蔽部  
１４０  操作部  
１４１  操作取手
１４２  移動体  
１４２ｂ  ギヤ  
１４５  ガイド
【図１】
2015031150.tif 000003
【図２】
2015031150.tif 000004
【図３】
2015031150.tif 000005
【図４】
2015031150.tif 000006
【図５】
2015031150.tif 000007
【図６Ａ】
2015031150.tif 000008
【図６Ｂ】
2015031150.tif 000009
【図７】
2015031150.tif 000010
【図８Ａ】
2015031150.tif 000011
【図８Ｂ】
2015031150.tif 000012
【図８Ｃ】
2015031150.tif 000013